(57)【要約】【課題】ＤＡＢ信号とＦＭのＲＤＳ信号のＩＤ情報が一致しないような状況であっても、同一放送番組への自動追従を行うことのできる放送受信機を提供する。【解決手段】放送受信機であって、ＤＡＢ放送の信号を受信処理するＤＡＢ信号受信手段と、ＦＭ放送のＲＤＳの信号を受信処理するＲＤＳ信号受信手段と、ＤＡＢ信号受信手段を介して受信中の放送番組に相当するＦＭ放送をＲＤＳの信号に含まれるＲＤＳ情報に基づいて抽出し、受信中の放送番組の音声と、抽出されたＦＭ放送の音声とを比較することにより同一放送番組であると判定される場合に、同一放送番組と判定されたＦＭ放送を自動追従先のＦＭ放送局として決定する第１の自動追従先決定手段とを備える。【選択図】図１
2015216445.tif 000002
【特許請求の範囲】
【請求項１】
放送受信機であって、
ＤＡＢ放送の信号を受信処理するＤＡＢ信号受信手段と、
ＦＭ放送のＲＤＳの信号を受信処理するＲＤＳ信号受信手段と、
前記ＤＡＢ信号受信手段を介して受信中の放送番組に相当するＦＭ放送を前記ＲＤＳの信号に含まれるＲＤＳ情報に基づいて抽出し、前記受信中の放送番組の音声と前記抽出されたＦＭ放送の音声とを比較することにより同一放送番組であると判定される場合に、前記同一放送番組と判定されたＦＭ放送を自動追従先のＦＭ放送局として決定する第１の自動追従先決定手段と、を備えることを特徴とする放送受信機。
【請求項２】
前記第１の自動追従先決定手段は、前記受信中の放送番組の名称に関する情報と前記ＲＤＳ情報に含まれるＦＭ放送の番組名称に関する情報とに基づいて、前記受信中の放送番組に相当するＦＭ放送局を抽出すること、を特徴とする請求項１に記載の放送受信機。
【請求項３】
前記第１の自動追従先決定手段は、前記受信中の放送番組の名称と同一又は類似する名称を有するＦＭ放送を前記受信中の放送番組に相当するＦＭ放送局として抽出すること、を特徴とする請求項２に記載の放送受信機。
【請求項４】
前記第１の自動追従先決定手段は、前記ＤＡＢ放送のサービスラベルと同一又は類似するPS（Program Service）を有するＦＭ放送を前記受信中の放送番組に相当するＦＭ放送局として抽出すること、を特徴とする請求項３に記載の放送受信機。
【請求項５】
前記ＤＡＢ放送の信号に含まれるFIG(Fast Information Group)情報、前記ＤＡＢ放送と前記ＦＭ放送のＩＤの一致の少なくともいずれか一方に基づいて、前記受信中の放送番組と同一放送番組のＦＭ放送を抽出して自動追従先として決定する第２の自動追従先決定手段をさらに備え、
前記第１の自動追従先決定手段は、前記第２の自動追従先決定手段により自動追従先が抽出されない場合に、前記ＦＭ放送の抽出及び自動追従先の決定を行うこと、を特徴とする請求項１から請求項４のいずれか一項に記載の放送受信機。
【請求項６】
ＤＡＢ放送の信号を受信処理するＤＡＢ信号受信手段とＦＭ放送のＲＤＳの信号を受信処理するＲＤＳ信号受信手段の双方を有する放送受信機において実行される放送受信方法であって、
前記ＤＡＢ信号受信手段を介して受信中の放送番組に相当するＦＭ放送を前記ＲＤＳの信号に含まれるＲＤＳ情報に基づいて抽出する抽出手順と、
前記受信中の放送番組の音声と前記抽出されたＦＭ放送の音声とを比較することにより同一放送番組であると判定される場合に、前記同一放送番組と判定されたＦＭ放送を自動追従先のＦＭ放送局として決定する決定手順とを含むこと、を特徴とする放送受信方法。
【請求項７】
前記決定手順では、前記受信中の放送番組の名称に関する情報と前記ＲＤＳ情報に含まれるＦＭ放送の番組名称に関する情報とに基づいて、前記受信中の放送番組に相当するＦＭ放送局を抽出すること、を特徴とする請求項６に記載の放送受信方法。
【請求項８】
前記決定手順では、前記受信中の放送番組の名称と同一又は類似する名称を有するＦＭ放送を前記受信中の放送番組に相当するＦＭ放送局として抽出すること、を特徴とする請求項７に記載の放送受信方法。
【請求項９】
前記決定手順では、前記ＤＡＢ放送のサービスラベルと同一又は類似するPS（Program Service）を有するＦＭ放送を前記受信中の放送番組に相当するＦＭ放送局として抽出すること、を特徴とする請求項８に記載の放送受信方法。
【請求項１０】
前記ＤＡＢ放送の信号に含まれるFIG(Fast Information Group)情報、前記ＤＡＢ放送と前記ＦＭ放送のＩＤの一致の少なくともいずれか一方に基づいて、前記受信中の放送番組と同一放送番組のＦＭ放送を抽出して自動追従先として決定する第２の決定手順をさらに含み、
前記抽出手順及び前記決定手順は、前記第２の決定手順において自動追従先が抽出されないことを条件として実行されること、を特徴とする請求項６から請求項９のいずれか一項に記載の放送受信方法。
【発明の詳細な説明】
【技術分野】
【０００１】
本発明は、ＤＡＢ（Digital Audio Broadcasting）放送及びＦＭ放送のＲＤＳ（Radio Data System）を受信可能な放送受信機及び放送受信方法に関する。
【背景技術】
【０００２】
ＤＡＢ信号及びＦＭのＲＤＳ信号の双方を受信可能な放送受信機では、ＤＡＢ信号の受信状況が悪化した時に、ＦＭ放送内に含まれる同一放送番組に自動追従（Service following)を行う技術が知られている。具体的に、このような放送受信機では、ＤＡＢ信号に含まれるＩＤ情報であるSID（Service Identifier）とＦＭのＲＤＳ信号に含まれるＩＤ情報であるPI（Program Identifier）の一致、或いはＤＡＢ信号に含まれるFIG（Fast Information Group）情報に基づいて自動追従が行われる。下記特許文献１には、自動追従を行う放送受信機の例が記載されている。
【先行技術文献】
【特許文献】
【０００３】
【特許文献１】特開２０１２−２４９２７７号公報
【発明の概要】
【発明が解決しようとする課題】
【０００４】
しかしながら、ＩＤ情報は常に正確な情報を表すものでは無く、例えば、SID,PIが異なる状況となる場合等、上記従来の自動追従手法では同一放送番組がＦＭ放送内に存在するにもかかわらず追従不可となり、音声を出力しないという状況が生じ得る。
【０００５】
本発明はこのような事情を鑑みてなされたものであり、その目的とするところは、ＤＡＢ信号とＦＭのＲＤＳ信号のＩＤ情報が一致しないような状況であっても、同一放送番組への自動追従を行うことのできる放送受信機及び放送受信方法を提供することである。
【課題を解決するための手段】
【０００６】
上記課題を解決する為、本発明の一つの側面により提供されるのは、放送受信機であって、ＤＡＢ放送の信号を受信処理するＤＡＢ信号受信手段と、ＦＭ放送のＲＤＳの信号を受信処理するＲＤＳ信号受信手段と、ＤＡＢ信号受信手段を介して受信中の放送番組に相当するＦＭ放送をＲＤＳの信号に含まれるＲＤＳ情報に基づいて抽出し、受信中の放送番組の音声と抽出されたＦＭ放送の音声とを比較することにより同一放送番組であると判定される場合に、同一放送番組と判定されたＦＭ放送を自動追従先のＦＭ放送局として決定する第１の自動追従先決定手段とを備える。
【０００７】
受信中の放送番組に相当するＦＭ放送が、ＲＤＳ信号に含まれるＲＤＳ情報に基づいて抽出され、音声の同一を確認した上で自動追従先が決定される。したがって、従来の自動追従手法では追従不可となるような状況が生じても、同一放送への自動追従を継続することができる。
【０００８】
第１の自動追従先決定手段は、受信中の放送番組の名称に関する情報とＲＤＳ情報に含まれるＦＭ放送の番組名称に関する情報とに基づいて、受信中の放送番組に相当するＦＭ放送局を抽出するように構成されていても良い。
【０００９】
第１の自動追従先決定手段は、受信中の放送番組の名称と同一又は類似する名称を有するＦＭ放送を、受信中の放送番組に相当するＦＭ放送局として抽出するよう構成されていても良い。
【００１０】
第１の自動追従先決定手段は、ＤＡＢ放送のサービスラベルと同一又は類似するPS（Program Service）を有するＦＭ放送を、受信中の放送番組に相当するＦＭ放送局として抽出するよう構成されていても良い。
【００１１】
放送受信機が、ＤＡＢ放送の信号に含まれるFIG(Fast Information Group)情報、ＤＡＢ放送とＦＭ放送のＩＤの一致の少なくともいずれか一方に基づいて、受信中の放送番組と同一放送番組のＦＭ放送を抽出して自動追従先として決定する第２の自動追従先決定手段を備える構成である場合には、第１の自動追従先決定手段は、第２の自動追従先決定手段により自動追従先が抽出されない場合に、ＦＭ放送の抽出及び自動追従先の決定を行うよう構成されていても良い。
【００１２】
また、本発明の別の側面により提供されるのは、ＤＡＢ放送の信号を受信処理するＤＡＢ信号受信手段とＦＭ放送のＲＤＳの信号を受信処理するＲＤＳ信号受信手段の双方を有する放送受信機において実行される放送受信方法であって、ＤＡＢ信号受信手段を介して受信中の放送番組に相当するＦＭ放送をＲＤＳの信号に含まれるＲＤＳ情報に基づいて抽出する抽出手順と、受信中の放送番組の音声と抽出されたＦＭ放送の音声とを比較することにより同一放送番組であると判定される場合に、同一放送番組と判定されたＦＭ放送を自動追従先のＦＭ放送局として決定する決定手順とを含む。
【００１３】
受信中の放送番組に相当するＦＭ放送が、ＲＤＳ信号に含まれるＲＤＳ情報に基づいて抽出され、音声の同一を確認した上で自動追従先が決定される。したがって、従来の自動追従手法では追従不可となるような状況が生じても、同一放送への自動追従を継続することができる。
【００１４】
決定手順では、受信中の放送番組の名称に関する情報とＲＤＳ情報に含まれるＦＭ放送の番組名称に関する情報とに基づいて、受信中の放送番組に相当するＦＭ放送局を抽出しても良い。
【００１５】
決定手順では、受信中の放送番組の名称と同一又は類似する名称を有するＦＭ放送を、受信中の放送番組に相当するＦＭ放送局として抽出しても良い。
【００１６】
決定手順では、ＤＡＢ放送のサービスラベルと同一又は類似するPS（Program Service）を有するＦＭ放送を、受信中の放送番組に相当するＦＭ放送局として抽出しても良い。
【００１７】
放送受信方法が、ＤＡＢ放送の信号に含まれるFIG(Fast Information Group)情報、ＤＡＢ放送とＦＭ放送のＩＤの一致の少なくともいずれか一方に基づいて、受信中の放送番組と同一放送番組のＦＭ放送を抽出して自動追従先として決定する第２の決定手順をさらに含む場合には、抽出手順及び決定手順は、第２の決定手順において自動追従先が抽出されないことを条件として実行されても良い。
【発明の効果】
【００１８】
従来の自動追従手法では追従不可となるような状況が生じても、同一放送番組への自動追従を継続することができ、同一放送番組への自動追従の継続性が高まる。
【図面の簡単な説明】
【００１９】
【図１】本発明の実施形態としての放送受信機の構成を表すブロック図である。
【図２】放送受信機の制御部による制御の下で実行されるサービス自動追従処理を表すフローチャートである。
【発明を実施するための形態】
【００２０】
以下、本発明の実施形態について図面を参照しながら説明する。
【００２１】
図１は、本発明の実施形態としての放送受信機１の構成を表すブロック図である。図１に示されるように本実施形態の放送受信機１は、ＦＭ放送のＲＤＳ信号を受信処理するＦＭブロック５０、ＤＡＢ信号を受信処理するＤＡＢブロック６０及び音声信号処理を行うオーディオブロック７０を有する。ＦＭブロック５０、ＤＡＢブロック６０及びオーディオブロック７０は、制御部１４と接続され、制御部１４がこれらのブロックを統括的に制御する。なお、図１では、放送受信機としての構成要素のうち主要なものを図示しており、放送受信機として一般的な構成要素である表示部、操作部等については、説明の便宜の為に省略している。
【００２２】
ＤＡＢサービスが視聴される場合の処理の流れは次のようになる。アンテナ８で受信されたＤＡＢ信号は、ＤＡＢ＿ＲＦ部９で中間周波信号への変換等の所定の処理を施された後、ＤＡＢデコーダ１０に入力する。ＤＡＢデコーダ１０は、ＤＡＢ信号に対する復調処理を行う。復調処理により得られた音声信号（以下、ＤＡＢ音声Ａと記す）は、計算部１１、オーディオソース切替部１３、オーディオＩ／Ｆ５、オーディオアンプ６を経てスピーカ７から音声として出力される。
【００２３】
また、復調処理により得られる情報（以下、ＤＡＢ情報Ｂと記す）は、信号情報／品質検出部１２により検出され、制御部１４により抽出される。信号情報／品質検出部１２は、例えばエラーレートに基づいて、受信信号の品質に関する情報を検出する。この処理過程により、サービス名等の付随情報が表示部（不図示）を介して表示される。
【００２４】
ＦＭ放送のＲＤＳが視聴される場合の処理の流れは次のようになる。アンテナ１５で受信されたＲＤＳ信号は、ＲＤＳ＿ＲＦ部２で中間周波信号への変換等の所定の処理を施された後、ＲＤＳ復調部３に入力する。ＲＤＳ復調部３は、ＲＤＳ信号に対する復調処理を行う。復調処理により得られた音声信号（以下、ＲＤＳ音声Ｃと記す）は、オーディオＩ／Ｆ５、オーディオアンプ６を経てスピーカ７から音声として出力される。
【００２５】
また、ＲＤＳ復調部３による復調処理により得られる情報（以下、ＲＤＳ情報Ｄと記す）は、信号情報／品質検出部４により検出され、制御部１４により抽出される。信号情報／品質検出部４は、例えばエラーレートに基づいて、受信信号の品質に関する情報を検出する。この処理過程により、サービス名等の付随情報が表示部（不図示）を介して表示される。
【００２６】
本実施形態の放送受信機１は、ＤＡＢ信号の受信状況が悪化した場合に、ＦＭ放送によって放送されている同一放送番組に自動追従する機能（以下、サービス自動追従機能と記す）を有する。計算部１１及びオーディオソース切替部１３は、サービス自動追従機能の為に機能する。計算部１１には、ＤＡＢデコーダ１０からＤＡＢ音声Ａが入力され、また、オーディオＩ／Ｆ５からＲＤＳ音声Ｃが入力される。計算部１１は、デジタル音声とアナログ音声とのズレを補正することによってデジタル音声とアナログ音声をシームレスに繋ぐシームレス機能を有し、また、ＤＡＢ音声ＡとＲＤＳ音声Ｃの一致を判定する。なお、計算部１１による判定結果は、制御部１４に入力される。オーディオソース切替部１３は、制御部１４からの制御信号にしたがって、計算部１１から入力されるＤＡＢ音声ＡとＲＤＳ音声Ｃの切り替えを行う。
【００２７】
ＤＡＢ信号の伝送フレームに含まれる情報であるＤＡＢ情報Ｂは、FIG(Fast Information Group)情報を含み、FIG情報には、FIG 0/6 (type 0 field for extension 6)や、FIG 0/21 (type 0 field for extension 21)等が含まれる。FIG 0/6及びFIG 0/21は、サービス・リンキング情報であり、どのＤＡＢのSIDとＦＭのPIコードとがリンクしているかを示す識別情報であるリンケージ・セットナンバーを含む。これにより、制御部１４は、現在受信しているＤＡＢの放送局と同一放送を行うＦＭ放送局を知ることができる。また、FIGの情報から受信中のサービス名（番組名）を表すサービスラベル（Service Label）を取得することができる。
【００２８】
ＲＤＳ信号には、ＲＤＳの放送局を識別するためのPIコード（以下、PIと記す）が含まれている。PIによって、受信しているＲＤＳ信号の放送局を知ることができる。
【００２９】
以下、サービス自動追従機能について詳細に説明する。制御部１４には、信号情報／品質検出部１２からＤＡＢ放送信号の品質情報が送られている。制御部１４は、この品質情報からＤＡＢ放送信号の受信状況が悪化したと判定した場合（例えば、エラーレートが所定値以上となった場合）、ＦＭ放送内の同一放送番組への自動追従を行う。
【００３０】
放送受信機１では、下記で示す手法によりＤＡＢ放送の放送番組と同一のＦＭ放送の放送番組の確認・選択が行われる。
（１）ＤＡＢ情報Ｂに含まれるFIG 0/6, 0/21で明示的に指定されている対象ＦＭ放送局を選択
（２）ＤＡＢ情報Ｂに含まれるSIDと、ＦＭのＲＤＳ情報Ｄに含まれるPIの一致により対象ＦＭ放送局を選択
（３）ＤＡＢ情報Ｂに含まれるSIDと、ＦＭのＲＤＳ情報Ｄに含まれるPI(Region Code)の関係に基づき対象ＦＭ放送局を選択
（４）ＤＡＢ情報Ｂに含まれるSIDと、ＦＭのＲＤＳ情報Ｄに含まれるPS,AFに基づいて、関係すると判断されるＦＭ放送局を抽出し、計算部１１による音声比較によって最終的に同一放送番組か否かを判定する。なお、PSとは、放送番組名を表す情報(Program Service)であり、AFとは、代替放送局（Alternative Frequency）を表す情報である。
【００３１】
図２は、放送受信機１の制御部１４による制御の下で実行されるサービス自動追従処理を表すフローチャートである。図２のサービス自動追従処理は、例えば、放送受信機１の電源ＯＮに伴って起動され継続的に実行されるソフトウェアモジュールとして構成されていてもよい。
【００３２】
例えばユーザにより指定されたＤＡＢ放送局についてＤＡＢ信号の受信が行われると（ステップＳ１）、制御部１４は、ＤＡＢ情報ＢにFIG情報(FIG 0/6, 0/21)が含まれるか否かを判定する（ステップＳ２）。ＤＡＢ情報ＢにFIG情報(FIG 0/6, 0/21)が含まれる場合には（Ｓ２：ＹＥＳ）、処理はステップＳ５に進み、制御部１４は、FIG情報(FIG 0/6, 0/21)で明示的に指定されたＦＭ放送局を選択する。そして、制御部１４は、ＤＡＢ信号の受信状況が悪化した場合に、選択されたＦＭ放送局のＲＤＳ信号が受信されるようにＦＭブロック５０を制御するとともに、ＲＤＳ音声Ｃが選択されるようにオーディオソース切替部１３を制御する（ステップＳ９）。
【００３３】
ＤＡＢ情報ＢにFIG情報(FIG 0/6, 0/21)が含まれない場合には（Ｓ２：ＮＯ）、処理はステップＳ３に進む。ステップＳ３では、制御部１４は、ＤＡＢ情報ＢとＲＤＳ情報Ｄに基づいて、ＤＡＢ情報に含まれるSIDと一致するPIを持つＦＭ放送局が存在するか否かを判定する。ＤＡＢ情報に含まれるSIDと一致するPIを持つＦＭ放送局が存在する場合（Ｓ３：ＹＥＳ）、処理はステップＳ５に進み、制御部１４は、ＤＡＢ情報に含まれるSIDと一致するPIを持つＦＭ放送局を選択する。そして、制御部１４は、ＤＡＢ信号の受信状況が悪化した場合に、選択されたＦＭ放送局のＲＤＳ信号が受信されるようにＦＭブロック５０を制御するとともに、ＲＤＳ音声Ｃが選択されるようにオーディオソース切替部１３を制御する（ステップＳ９）。
【００３４】
ＤＡＢ情報Ｂに含まれるSIDと一致するPIを持つＦＭ放送局が存在しない場合（Ｓ３：ＮＯ）、処理はステップＳ４に進む。ステップＳ４では、制御部１４は、ＤＡＢのSIDと地域コードのみ異なるPIを有するＦＭ放送局が存在するか否かを判定する。ＤＡＢのSIDと地域コードのみ異なるPIを有するＦＭ放送局が存在する場合には（Ｓ４：ＹＥＳ）、処理はステップＳ５に進み、制御部１４は、ＤＡＢのSIDと地域コードのみ異なるPIを有するＦＭ放送局を選択する。そして、制御部１４は、ＤＡＢ信号の受信状況が悪化した場合に、選択されたＦＭ放送局のＲＤＳ信号が受信されるようにＦＭブロック５０を制御するとともに、ＲＤＳ音声Ｃが選択されるようにオーディオソース切替部１３を制御する（ステップＳ９）。
【００３５】
他方、ＤＡＢのSIDと地域コードのみ異なるPIを有するＦＭ放送局が存在しない場合には（Ｓ４：ＮＯ）、処理はステップＳ６に進む。ステップＳ６では、制御部１４は、ＤＡＢのサービスラベルと一致する若しくは類似するPSを持つＦＭ放送局が存在するか否かを判定する。ＤＡＢのサービスラベルと一致する若しくは類似するPSを持つＦＭ放送局が存在する場合には（Ｓ６：ＹＥＳ）、処理はステップＳ７に進む。なお、サービスラベルとプログラムサービス（PS）が類似するか否かの判定では、前方一致、後方一致、部分一致等の通常の比較手法が用いられても良い。
【００３６】
ステップＳ７では、選択されたＦＭ放送局のＲＤＳ音声ＣとＤＡＢ音声Ａとが計算部１１によって比較される。なお、ここでは、対象ＦＭ放送局のAF（Alternative Frequency）局（AF/EON(Enhanced Other Net’s information)局等）も比較対象に含められても良い。その結果、ＲＤＳ音声ＣとＤＡＢ音声Ａとが一致する場合には（Ｓ７：ＹＥＳ）、同一放送番組であることが確認されたことになる。次に、ステップＳ９では、ＤＡＢ信号の受信状況が悪化した場合に、選択されたＦＭ放送局の受信が行われる（すなわち、追従が行われる）。
【００３７】
ＤＡＢのサービスラベルと一致する若しくは類似するPSを持つＦＭ放送局が存在しない場合（Ｓ６：ＮＯ）、或いは、ＲＤＳ音声ＣとＤＡＢ音声Ａとが一致しない場合には（Ｓ７：ＮＯ）、追従対象のＦＭ放送局が存在しないものとみなし、ミュート処理がなされる（ステップＳ８）。
【００３８】
以上の構成により、従来の自動追従機能よりもより一層継続性の高い自動追従機能が達成されることとなる。特に、上記確認・選択手法（１）から（３）で必要となる情報が正確でない、或いは得られないような場合でも、制御部１４が独自にＤＡＢのサービス名（サービスラベル）と一致する若しくは類似する放送番組名（PS）を有するＦＭ放送局を探し出し、音声比較により音声の同一を確認したうえで、同一放送番組であるかを決定する構成となっている。すなわち、制御部１４は、受信中のＤＡＢ放送に相当するＦＭ放送をＲＤＳ信号に含まれるＲＤＳ情報に基づいて抽出し、音声の同一を確認した上で自動追従先を決定している。
【００３９】
したがって、ＲＤＳ情報に含まれる識別情報(SID)とＲＤＳ情報に含まれる識別情報（PI）が異なるような状況であっても、同一放送番組が見つけ出されることとなり、サービス自動追従の継続性が高まる。特に、ＤＡＢ放送局が対応しきれていないサービス・リンキング情報に関して、上述の実施形態による効果が発揮される。最終的に音声を比較して同一放送番組を判定しているので、間違った放送サービスを選択する可能性が極めて低い。
【００４０】
以上が本発明の例示的な実施形態の説明である。本発明の実施形態は、上記に説明したものに限定されず、本発明の技術的思想の範囲において様々な変形が可能である。例えば明細書中に例示的に明示される実施例等又は自明な実施例等を適宜組み合わせた内容も本願の実施形態に含まれる。
【符号の説明】
【００４１】
１  放送受信機
２  ＲＤＳ＿ＲＦ部
３  ＲＤＳ復調部
４  信号情報／品質検出部
５  オーディオＩ／Ｆ
６  オーディオアンプ
９  ＤＡＢ＿ＲＦ部
１０  ＤＡＢデコーダ
１１  計算部
１２  信号情報／品質検出部
１３  オーディオソース切替部
５０  ＦＭブロック
６０  ＤＡＢブロック
７０  オーディオブロック
【図１】
2015216445.tif 000003
【図２】
2015216445.tif 000004